(57)【要約】【課題】小型化が容易で施工しやすいフロートを有する給水装置を提供すること。【解決手段】洗浄タンク２に洗浄水を供給する洗浄タンクの給水装置１であって、洗浄タンク２の水位に応じて昇降するフロート４１と、フロート４１の昇降に伴って開閉される給水弁と、フロート４１の上部に接続され、フロート４１の昇降に連動して昇降する軸部４３と、軸部４３に接続され、フロート４１及び軸部４３の昇降に連動して給水弁を開閉するアーム部と、軸部４３の上部に配置され、軸部４３の昇降を案内するガイド部４４と、を備える洗浄タンクの給水装置１である。【選択図】図４
2019190221.tif 000002
【特許請求の範囲】
【請求項１】
洗浄タンクに洗浄水を供給する洗浄タンクの給水装置であって、
前記洗浄タンクの水位に応じて昇降するフロートと、
前記フロートの昇降に伴って開閉される給水弁と、
前記フロートの上部に接続され、前記フロートの昇降に連動して昇降する軸部と、
前記軸部に接続され、前記フロート及び前記軸部の昇降に連動して前記給水弁を開閉するアーム部と、
前記軸部の上部に配置され、前記軸部の昇降を案内するガイド部と、を備える洗浄タンクの給水装置。
【請求項２】
前記ガイド部は、前記軸部を案内するガイド部本体と、前記ガイド部本体から延出して前記給水弁を収容する本体部に固定される接続部と、を有する、請求項１に記載の洗浄タンクの給水装置。
【請求項３】
前記軸部は、前記本体部から所定距離、離間した位置に配置されて昇降し、
前記アーム部は、前記本体部の前記給水弁を開閉可能に揺動する上腕部と、前記上腕部の下端から延びて前記軸部に接続される下腕部と、前記上腕部及び前記下腕部を接続するリンク部と、を有し、
前記リンク部は、前記本体部から、前記所定距離より大きな距離離れた位置に配置される、請求項２に記載の洗浄タンクの給水装置。
【請求項４】
前記ガイド部は、筒状に形成され、
前記軸部は、前記ガイド部内をスライドして案内される請求項１〜３のいずれか１項に記載の洗浄タンクの給水装置。
【請求項５】
便器と、
前記便器内に供給する洗浄水を貯水する前記洗浄タンクと、
前記洗浄タンク内に配置され、前記洗浄タンクに洗浄水を供給する請求項１〜４のいずれか１項に記載の給水装置と、を備える便器装置。
【発明の詳細な説明】
【技術分野】
【０００１】
本発明は、洗浄タンクの給水装置に関する。
【背景技術】
【０００２】
従来、便器の洗浄タンクの給水装置には、洗浄タンク内の水位に連動して昇降するフロートと、フロートから伝えられる水位の変動によって洗浄タンク内に給水を行う給水弁が配置されている。このような給水装置として、フロートに給水弁の開閉を行うアーム部を接続したものが提案されている（例えば、特許文献１参照）。アーム部による給水弁の開閉を確実に行うためには、フロートの上下移動の軌道が一定であることが好ましい。このため、フロートの周囲にガイド部を設け、フロートが水平方向にぶれないように、フロートを案内する場合がある。
【先行技術文献】
【特許文献】
【０００３】
【特許文献１】特開２０１３−４０４５３号公報
【発明の概要】
【発明が解決しようとする課題】
【０００４】
フロートの周囲にガイド部を設けると、ガイド部を含めたフロートの外周が大きくなるため、フロートを収容する洗浄タンクが大きくなりがちだった。また、フロート及びガイド部には、フロートがガイド部内をスムーズに上下移動できるような寸法精度が求められる。フロートとガイド部を別部材に構成すると、ガイド部は、例えば洗浄タンク等のガイド部を固定する周囲の部材の製造公差及び施工誤差の影響を受けやすい。このため、フロートとガイド部を固定した際の摺動性に問題が生じやすかった。
【課題を解決するための手段】
【０００５】
本発明は、洗浄タンク（例えば、後述の洗浄タンク２）に洗浄水を供給する洗浄タンクの給水装置（例えば、後述の給水装置１）であって、前記洗浄タンクの水位に応じて昇降するフロート（例えば、後述のフロート４１）と、前記フロートの昇降に伴って開閉される給水弁（例えば、後述のパイロット弁３３及びダイヤフラム弁３４）と、前記フロートの上部に接続され、前記フロートの昇降に連動して昇降する軸部（例えば、後述の軸部４３）と、前記軸部に接続され、前記フロート及び前記軸部の昇降に連動して前記給水弁を開閉するアーム部（例えば、後述のアーム部４２）と、前記軸部の上部に配置され、前記軸部の昇降を案内するガイド部（例えば、後述のガイド部４４）と、を備える洗浄タンクの給水装置に関する。
【０００６】
前記ガイド部は、前記軸部を案内するガイド部本体（例えば、後述のガイド部本体４４１）と、前記ガイド部本体から延出して前記給水弁を収容する本体部（例えば、後述の本体部３０）に固定される接続部（例えば、後述の接続部４４２）と、を有することが好ましい。
【０００７】
前記軸部は、前記本体部から所定距離（例えば、後述の距離Ｄ１）、離間した位置に配置されて昇降し、前記アーム部は、前記本体部の前記給水弁を開閉可能に揺動する上腕部（例えば、後述の上腕部４２１）と、前記上腕部の下端から延びて前記軸部に接続される下腕部（例えば、後述の下腕部４２２）と、前記上腕部及び前記下腕部を接続するリンク部（例えば、後述のリンク部４２３）と、を有し、前記リンク部は、前記本体部から、前記所定距離より大きな距離（例えば、後述の距離Ｄ２）離れた位置に配置されることが好ましい。
【０００８】
前記ガイド部は、筒状に形成され、前記軸部は、前記ガイド部内をスライドして案内されることが好ましい。
【０００９】
また、発明は、便器（例えば、後述の便器１０２）と、前記便器内に供給する洗浄水を貯水する前記洗浄タンクと、前記洗浄タンク内に配置され、前記洗浄タンクに洗浄水を供給する前記給水装置と、を備える便器装置（例えば、後述の便器装置１００）に関する。
【発明の効果】
【００１０】
本発明によれば、小型化が容易で施工しやすいフロートを有する給水装置を提供することができる。
【図面の簡単な説明】
【００１１】
【図１】本実施形態の便器装置を示す斜視図である。
【図２】本実施形態の便器装置の部分平面図である。
【図３】本実施形態の便器装置の部分縦断面図である。
【図４】本実施形態のボールタップ給水栓とフロートを示す斜視図である。
【図５Ａ】本実施形態の給水装置の部分破断断面図であり、フロートが上昇した状態を示す。
【図５Ｂ】本実施形態の給水装置の部分破断断面図であり、フロートが下降した状態を示す。
【図６】本実施形態のボールタップ給水栓と吐水管との接続部を示す説明図である。
【図７】図２のＡ−Ａ線部分断面図である。
【発明を実施するための形態】
【００１２】
以下、本発明の実施形態について図面を参照して詳細に説明する。
図１は便器装置１００の斜視図である。便器装置１００は、図１に示すように、便器１０２が床面ｆ１に設置される床置きタイプである。なお、以下の説明において、便器１０２の便座（図示せず）に着座した使用者から見た場合の前後の向きを前後方向とする。また、便器１０２の便座（図示せず）に着座した使用者から見た場合の左右の向きを幅方向とする。さらに、床面ｆ１に対する鉛直方向に沿う上下の向きを上下方向とする。
【００１３】
便器装置１００は、図１に示すように、便器１０２と、便座（図示せず）と、便蓋１０３と、タンクカバー１０４と、洗浄タンク２と、を備えている。
便器１０２は、立壁面ｆ２に近接した床面ｆ１上に設置されている。便器１０２の上部には、便座（図示せず）及び便蓋１０３が回動可能に取り付けられている。
タンクカバー１０４は、便器１０２の後方側に取り付けられ、後述する給水装置１の外側を覆う。
【００１４】
本実施形態に示すタンクカバー１０４は、洗浄タンク２の前面側を覆う前カバー１０４ａと、洗浄タンク２の側面側及び後面側を覆う後カバー１０４ｂと、洗浄タンク２の上面側を覆う上カバー１０４ｃと、を有し、これら各カバー１０４ａ〜１０４ｃが組み合わされることにより、略直方形となる洗浄タンク２の収容空間を構成している。
【００１５】
なお、タンクカバー１０４の下方は、前面プレート１０５ａと側面プレート１０５ｂとからなる下部プレート１０５によって覆われている。これにより、便器１０２の後方側に配置される給排水管等が目隠しされるとともに、便器１０２の後方側が、タンクカバー１０４と一体に上下方向に延びる薄型の略直方形の箱体状となる。
【００１６】
図２は、便器装置１００の部分平面図である。図３は、便器装置１００における洗浄タンク２の部分縦断面図である。
図２及び図３に示すように、便器装置１００は、洗浄タンク２の内部に収容される給水装置１を有する。給水装置１については後述する。
また、便器装置１００は、洗浄タンク２の下部に形成される排水口２２に接続されるオーバーフロー管６と、排水口２２に設けられた排水弁７と、排水弁７から上方へ延びる玉鎖７１とを有する。
また、便器装置１００は、排水弁７に接続されて、便器１０２に洗浄水を供給するレバーアーム８及びハンドル９を有する。
【００１７】
洗浄タンク２は、上部が開口し、洗浄水を貯留可能な略直方体の容器である。洗浄タンク２は、タンクカバー１０４に周囲を覆われる前壁２ａ、後壁２ｂ、底面部２ｃ、一対の側壁２ｄを有する。洗浄タンク２は、上部における幅方向の一方で給水管２１に接続される。洗浄タンク２は、下部における幅方向の中央に排水口２２が形成され、排水口２２は洗浄タンク２の下方に配置される便器１０２に連通している。
【００１８】
排水弁７は、排水口２２を開閉可能に覆っている略円形の蓋体により構成されている。
玉鎖７１は、排水弁７に接続され、玉鎖７１が上方に引き上げられると、排水弁７が開き、排水口２２から洗浄タンク２に貯留された洗浄水を流すように構成されている。
【００１９】
オーバーフロー管６は、上部に開口部６ａを有し、上下方向に延びる略円筒状の管である。オーバーフロー管６には、後述する吐水管５から分岐する補給水供給口５４から、洗浄水が供給される。オーバーフロー管６は、下端側が、排水口２２に連通している。オーバーフロー管６は、洗浄タンク２に貯留された洗浄水の水位が所定位置を上回って溢れた際に、洗浄水が開口部６ａから流入して排水の際に便器１０２へ流出するようになっている。
【００２０】
レバーアーム８は、洗浄タンク２の上部で玉鎖７１の上端から略水平方向に延びている。レバーアーム８は回転可能な軸部であり、玉鎖７１と接続されている。
【００２１】
ハンドル９は、洗浄タンク２の外部に配置され、レバーアーム８と連動して回動可能に取り付けられている。使用者がハンドル９を操作して回すことで、レバーアーム８が回動する。ハンドル９の操作により、レバーアーム８の回動に伴って玉鎖７１が上方に引っ張られ、排水弁７が開くように構成されている。
【００２２】
図４は、本実施形態の給水装置１の斜視図である。給水装置１は、ボールタップ給水栓３と、給水弁と、フロート４１と、軸部４３と、アーム部４２と、ガイド部４４と、吐水管５と、を含む。給水装置１は、洗浄タンク２内の水位に応じて、洗浄水を洗浄タンク２に供給する装置である。
【００２３】
ボールタップ給水栓３は、洗浄タンク２の内部に配置され、洗浄タンク２の後壁２ｂから延びる給水管２１に接続される。ボールタップ給水栓３は、本体部３０と、一次側流路３１及び二次側流路３２と、給水弁を構成するパイロット孔３３１及びダイヤフラム弁３４と、吐水管側開口部３６と、係止突起３８と、を有する。
【００２４】
本体部３０は、洗浄タンク２の幅方向に沿って延びる略円筒形の形状を有する。本体部３０は、上流側が、給水管２１に接続されるストレーナ２３に接続される。本体部の下流側は、側面が後述する吐水管５に接続されるとともに、給水弁を収容する。
【００２５】
図５Ａ及び図５Ｂは、給水装置１の部分破断断面図である。
一次側流路３１は、図５Ａ及び図５Ｂに示すように、給水管２１及びストレーナ２３から本体部３０の下流端３７に向かって延びる流路である。一次側流路３１は、本体部３０内の中空部に形成される水路である。
【００２６】
二次側流路３２は、一次側流路３１の下流端３７側に配置される。二次側流路３２は、一次側流路３１の内部に配置され、一次側流路３１を構成する本体部３０内の中空部よりも径の小さな管により構成される。二次側流路３２は、上流側は一次側流路３１の下端側に接続され、下流側が吐水管５に接続される。二次側流路３２は、一次側流路３１の延びる方向に対して略直交する側へ屈曲するように屈曲する。
【００２７】
給水弁は、パイロット弁３３及びダイヤフラム弁３４により構成される。
パイロット弁３３は、本体部３０側に形成されるパイロット孔３３１及び後述するアーム部４２の先端に配置されるシール部３３２を有する。
パイロット孔３３１は、図５Ａに示すように、本体部３０の下流端３７に配置されている。パイロット孔３３１は、本体部３０の下流端３７から外側へ貫通する管状の貫通孔である。パイロット孔３３１の周囲には、下流端３７から外側に突出する弁座が形成されている。パイロット孔３３１は、後述するフロート４１の昇降に伴って、アーム部４２の上端に設けられるシール部３３２よって開閉される。
【００２８】
ダイヤフラム弁３４は、本体部３０の下流端３７において、パイロット孔３３１よりも上流側に、パイロット孔３３１との間に背圧室３４１を挟んで配置される。ダイヤフラム弁３４は、本体部３０の中心軸から径方向に延びる。ダイヤフラム弁３４は、水圧によって上流側及び下流側に進退移動可能である。
【００２９】
図５Ｂに示すように、アーム部４２が後退してパイロット孔３３１が開放されると、ボールタップ給水栓３の下流側の端部の背圧室３４１内にある水が、パイロット孔３３１から外側へ流出し、背圧室３４１内の圧力が低下する。背圧室３４１の圧力が低下すると、ダイヤフラム弁３４が下流側に後退するとともに、ダイヤフラム弁３４の上流側の洗浄水が、ダイヤフラム弁３４側に引き込まれる。引き込まれた洗浄水は、ダイヤフラム弁３４を押し上げて開き、二次側流路３２を流通して吐水管５側へ流れる。
【００３０】
吐水管側開口部３６は、二次側流路３２の下流端が、ボールタップ給水栓３の側面に開口する貫通孔である。吐水管側開口部３６は、後述する吐水管５の接続部５０に接続される。
【００３１】
係止突起３８は、吐水管側開口部３６の周縁で、ボールタップ給水栓３の側面から、吐水管側開口部３６の径方向外側に突出する突起部である。
【００３２】
フロート４１は、洗浄タンク２の水位に応じて昇降し、プラスチックのような水に浮く素材で形成される。フロート４１は、略円筒形で内部が中空であり、上端側の端面は塞がれている。
【００３３】
軸部４３は、フロート４１の中心に配置され、フロート４１の昇降に連動して上下に昇降可能に保持されている。軸部４３は、下端がフロート４１の内部を貫通した状態でフロート４１の上部に接続される。軸部４３は、本体部３０の下流端３７から所定距離Ｄ１離間した位置に配置されている。軸部４３は、スライド部４３１と、保持部４３２と、を有する。
【００３４】
スライド部４３１は、図４に示すように、上下に長い略長方形状で、断面視が略Ｈ状となっている。スライド部４３１は、一対の側壁部４３１ａと、スライド突起４３３と、アーム挿通孔４３１ｂと、を有する。
一対の側壁部４３１ａは、スライド部４３１の幅方向の一方及び他方に配置される側壁である。一対の側壁部４３１ａは、その平面が洗浄タンク２の前側及び後側に延びる。
スライド突起４３３は、一対の側壁部４３１ａの外側面に形成され、上下方向に延びる筋状の突起である。スライド突起４３３は、一対の側壁部４３１ａのそれぞれの外面に形成され、互いに対応する位置に配置されている。また、スライド突起４３３は、一対の側壁部４３１ａの厚み部分にも形成されている。
アーム挿通孔４３１ｂは、一対の側壁部４３１ａ同士を接続する一枚の板面に形成される貫通孔である。アーム挿通孔４３１ｂには、後述するアーム部４２が挿通する。
【００３５】
保持部４３２は、スライド部４３１の下端から下方に延び、フロート４１に接続される軸部である。保持部４３２の表面にはスクリュー状の溝が形成され、フロート４１の内部にねじ込まれて接続される。なお、保持部４３２は、取り付け時にフロート４１との距離を調節可能であるが、保持部４３２自体は、フロート４１の水面の移動によって伸縮するものではない。
【００３６】
図５Ａは、フロート４１が上昇した状態を示し、図５Ｂはフロート４１が下降した状態を示す。
アーム部４２は、図４〜図５Ｂに示すように、フロート４１及び軸部４３の昇降に連動して、パイロット弁３３を構成するボールタップ給水栓３のパイロット孔３３１を開閉可能に揺動する。アーム部４２は、縮んだり伸びたりするように屈曲可能であり、上腕部４２１と、下腕部４２２と、リンク部４２３と、パイロット弁３３を構成するシール部３３２と、を有する。
【００３７】
上腕部４２１は、上端がボールタップ給水栓３のパイロット孔３３１を開閉可能な位置に配置され、下端がリンク部４２３を介して下腕部４２２と接続される。上腕部４２１は、軸部４３のアーム挿通孔４３１ｂを挿通して、左上部から右下部に下り傾斜するように配置される。
【００３８】
下腕部４２２は、上端が上腕部４２１と接続され、下端が上腕部４２１の下端から延びて軸部４３に接続される。下腕部４２２は、左下部から右上部に上り傾斜するように配置される。
【００３９】
リンク部４２３は、上腕部４２１と下腕部４２２を回転可能に接続する回転軸である。リンク部４２３は、本体部３０の下流端３７から、本体部３０の下流端３７と軸部４３との間の距離Ｄ１よりも大きな距離Ｄ２離れている。本実施形態では、図２に示すように平面視で、本体部３０と、軸部４３と、リンク部４２３とが一直線上に並ぶように配置されている。アーム部４２が軸部４３のアーム挿通孔４３１ｂを通って本体部３０と、軸部４３と、リンク部４２３とが一直線上に並ぶように配置されているので、給水装置１の幅方向の寸法が小さくなり、コンパクトに納まっている。
【００４０】
シール部３３２は、上腕部４２１の先端に取り付けられる弾性体である。シール部３３２は、上腕部４２１がボールタップ給水栓３の本体部３０の下流端３７に接触する際に、パイロット孔３３１を開閉可能な位置に取り付けられる。
【００４１】
ガイド部４４は、軸部４３の上部に固定され、軸部４３の昇降を案内する。ガイド部４４は、内部を軸部４３がスライド可能に形成されている。ガイド部４４は、ガイド部本体４４１と、接続部４４２と、を有する。
【００４２】
ガイド部本体４４１は、軸部４３のスライド部４３１の外周を囲むように、方形筒状に形成されている。ガイド部本体４４１は、内部をスライド部４３１が上下にスライド可能となるように、スライド部４３１に合う寸法を有して形成され、軸部４３を案内する。ガイド部本体４４１は、それぞれが略長方形の正面部４４１ａ、背面部４４１ｂ、一対のガイド側側壁部４４１ｃを有する。ガイド側側壁部４４１ｃの内側面には、スライド部４３１の一対の側壁部４３１ａに形成されたスライド突起４３３と係合可能なスライド溝が形成されている（図示せず）。
【００４３】
接続部４４２は、ガイド部本体４４１の背面部４４１ｂから、ガイド部本体４４１が延びる方向に交差する方向に延出して、本体部３０に固定される。接続部４４２は、締結面４４２ａと、接続カバー部４４２ｂと、を有する。
締結面４４２ａは、本体部３０の下流端３７の外面形状に沿っており、ネジにより下流端３７に締結される。
接続カバー部４４２ｂは、締結面４４２ａからガイド部本体４４１へ向かって延び、本体部３０の下流端３７とスライド部４３１とを接続する部分である。図４に示すように、接続カバー部４４２ｂは、断面視で逆Ｕ字状に形成され、上面側がアーム部４２の上腕部４２１の上端側を覆うように配置される。接続カバー部４４２ｂは、下端側は開放されており、アーム部４２の昇降移動を許容するように構成されている。
【００４４】
ガイド部本体４４１と接続部４４２を一体のガイド部４４として構成し、ボールタップ給水栓３の本体部３０に接続することで、ガイド部本体４４１がボールタップ給水栓３の本体部３０に近くなる。一方、アーム部４２は、上腕部４２１と下腕部４２２とがリンク部４２３により接続され、上腕部４２１が軸部４３のアーム挿通孔４３１ｂを通って本体部３０から遠ざかる方向に延び、下腕部４２２がフロート４１に接続される。このように、リンク部４２３を介してアーム部４２を屈曲させることによって、軸部４３を本体部３０に近付けても、軸部が本体部よりも遠い従来の場合と同じ荷重でフロート４１が持ち上がり、アーム部４２が給水弁を構成するパイロット孔３３１を塞ぐために十分な力が加わる。
【００４５】
図５Ａに示すように、洗浄タンク２内に洗浄水が十分貯留され、水位が高いときは、フロート４１が洗浄タンク２内の上部に浮いている。このとき、アーム部４２は、深く屈曲し、軸部４３はガイド部４４内をスライドして案内されながら上部に移動している。アーム部４２の上腕部４２１の先端に設けられたシール部３３２は、ボールタップ給水栓３のパイロット孔３３１を閉じているので、背圧室３４１に圧力がかかり、ダイヤフラム弁３４も閉じている。したがって、洗浄水は洗浄タンクに供給されない。
【００４６】
図５Ｂに示すように、便器１０２を洗浄するため、洗浄タンク２内の水が排出されると、水位が下がり、フロート４１が下がる。すると、アーム部４２は下方に伸び、アーム部４２の伸長に合わせて軸部４３がガイド部４４に案内されながら下降する。アーム部４２が伸長すると、アーム部４２の上腕部４２１が後退し、パイロット弁３３を開く。パイロット弁３３が開かれることで、背圧室３４１の圧力が下がり、ダイヤフラム弁３４が開かれる。これにより、ボールタップ給水栓３内の水がダイヤフラム弁３４を通過して吐水管５へ流れ、スイング弁５１を押して洗浄タンク２内に供給される。
【００４７】
吐水管５は、上下方向に延び、ボールタップ給水栓３から供給された洗浄水を洗浄タンク２へ供給する管である。図３に示すように、吐水管５は、下端が開放され、洗浄タンク２内に貯留された水に浸漬されている。吐水管５は、上端側では、ボールタップ給水栓３の側面に接続され、接続部５０と、スイング弁５１と、補給水供給口５４と、を有する。
【００４８】
補給水供給口５４は、吐水管５の接続部５０から分岐して形成される給水用の径の小さな管である。補給水供給口５４からは、ボールタップ給水栓３から供給される洗浄水の一部が、分岐され、補給水供給口５４が回動することでオーバーフロー管６にまたはタンク内に供給補給される。
【００４９】
図６は、ボールタップ給水栓３と吐水管５との接続部５０を示す説明図である。
接続部５０は、図６に示すように、吐水管５の上部の側面に、吐水管５の延びる方向に交差する方向に短く突出した略円筒状の管である。接続部５０は、ボールタップ給水栓３の側面に設けられた吐水管側開口部３６の周囲を覆う内径を有する。接続部５０は、係止爪５２と、軸部収容凹部５３（図７参照）と、を有する。
【００５０】
係止爪５２は、接続部５０を構成する管の外縁に形成される鉤状の突起である。係止爪５２は、接続部５０をボールタップ給水栓３の吐水管側開口部３６に嵌めた際に、吐水管側開口部３６の周囲の係止突起３８を挟み込むように係止され、吐水管５の接続部５０の固定を確実にする。ボールタップ給水栓３内を流通する洗浄水の流量を多くしても、係止爪５２が係止突起３８に係止していることで、吐水管５が外れにくい。
【００５１】
図７は、図２のＡ−Ａ線部分断面図であり、ボールタップ給水栓３と吐水管５との接続部５０近傍の断面図である。
軸部収容凹部５３は、図７に示すように、接続部５０を構成する管の上部内壁に形成される。軸部収容凹部５３は、接続部５０を構成する管を横切る方向の一方及び他方に互いに対向して形成される窪みである。軸部収容凹部５３は、以下に説明するスイング弁５１を取り付けるための凹部である。
【００５２】
スイング弁５１は、ボールタップ給水栓３の二次側流路３２と吐水管５の上流端との間に、配置される。スイング弁５１は、回転軸部５１１及び弁体５１２を有する。
弁体５１２は、接続部５０の管の内径を塞ぐ円形の弾性体により構成される。
回転軸部５１１は、弁体５１２に接続されて弁体を保持する弁体保持部５１１ａと、弁体保持部５１１ａから延びて接続部５０の管を横切る方向に延びる軸部５１１ｂとを有する。軸部５１１ｂは、弁体保持部５１１ａと接続される部分を除いて略円柱状に外周が曲面状に形成される。軸部５１１ｂにおける曲面の部分が軸部収容凹部５３内を回転することにより、スイング弁５１が開閉可能に構成されている。
【００５３】
回転軸部５１１の上端部は、軸部収容凹部５３の内壁と所定の隙間を設けて配置されており、上端部の両側面は、軸部収容凹部５３の前側及び後側のいずれの内壁とも隙間を空けているので、前後に移動可能な余裕が形成されている。回転軸部５１１が軸部収容凹部５３の間に隙間を有して配置されていると、回転軸部５１１の周囲に微小なごみが挟まった場合でも、回転軸部５１１が軸部収容凹部５３内を移動できるので、スイング弁５１が小さな角度で開く。スイング弁５１が小さな角度で開く状態が維持できると、スイング弁５１を短い時間で閉じることができるので、確実に逆流の防止ができる。
【００５４】
本実施形態によれば、以下の効果が奏される。
本実施形態では、洗浄タンク２に洗浄水を供給する洗浄タンクの給水装置１を、洗浄タンク２の水位に応じて昇降するフロート４１と、フロート４１の昇降に伴って開閉される給水弁と、フロート４１の上部に接続され、フロート４１の昇降に連動して昇降する軸部４３と、軸部４３に接続され、フロート４１及び軸部４３の昇降に連動して給水弁を開閉するアーム部４２と、軸部４３の上部に配置され、軸部４３の昇降を案内するガイド部４４と、を含んで構成した。
フロート４１に接続される軸部４３を案内するガイド部４４を、軸部４３の上部に配置した。浮きであるフロート４１の周囲にガイド部４４を設けなくて済むので、フロート４１の配置に要するスペースを小さくすることができ、給水装置１を小型化することができる。また、フロート４１の周囲にガイド部を設ける場合には、ガイド部が大きいためガイド部を洗浄タンク等の周囲の部品に固定する場合があり、この場合、ガイド部が周囲の部品の製造公差や施工誤差に影響されやすかった。しかし、ガイド部４４を軸部４３の上部に配置することで、フロート４１の周囲の部品の製造公差や施工誤差の影響を受けることがなく、施工が容易になる。
【００５５】
本実施形態では、ガイド部４４を、軸部４３を案内するガイド部本体４４１と、ガイド部本体４４１から延出して給水弁を収容する本体部３０に固定される接続部４４２と、を含んで構成した。ガイド部本体４４１と、接続部４４２とを同じ一体の部材で構成して、本体部３０に接続することで、ガイド部４４が、軸部４３を固定する機能とガイドする機能を兼ねることができ、その結果、ガイド部本体４４１をボールタップ給水栓３の本体部３０に近付けることができる。これにより、フロート４１を昇降させる軸部４３を本体部３０に近付けることができるので、部品精度が高まり、フロート４が持ち上がらなくなったり、下がらなくなったりする等の不具合の発生を抑制することができる。
【００５６】
本実施形態では、軸部４３を、本体部３０から所定距離Ｄ１、離間した位置に配置させて昇降させた。また、アーム部４２を、本体部３０の給水弁を開閉可能に揺動する上腕部４２１と、上腕部４２１の下端から延びて軸部４３に接続される下腕部４２２と、上腕部４２１及び下腕部４２２を接続するリンク部４２３と、を含んで構成し、リンク部４２３を、本体部３０から、所定距離Ｄ１より大きな距離Ｄ２離れた位置に配置させた。
従来、軽いフロートでボールタップ給水栓の下流端に設けたパイロット孔を確実に閉止するよう、荷重をアーム部にかけるためには、フロートが接続される軸部をボールタップ給水栓の本体部から遠くに配置する必要があった。このため、ボールタップ給水栓とフロート及び軸部との距離は大きくなり、これに伴って給水装置が大きくなり、給水装置を配置する洗浄タンクも大型化することとなっていた。しかし、本実施形態では、アーム部４２を、リンク部４２３を含んで構成し、かつリンク部４２３を所定距離Ｄ１よりも大きな距離Ｄ２本体部３０から離して配置させた。これにより、軸部４３を本体部３０に近くして、軸部４３（及びフロート４１）とボールタップ給水栓３の下流端３７との間の距離Ｄ１を短くしても、アーム部４２が長くなり、軸部４３が従来の場合と同じ程度の荷重でフロート４１が持ち上がる。よって、軸部４３を本体部３０に近付けることができ、給水装置１を小型化することができる。
【００５７】
本実施形態では、ガイド部４４を、筒状に構成し、軸部４３を、ガイド部４４内をスライドして案内されるように構成した。
ガイド部４４が軸部４３の周囲を覆う程度の大きさで、かつ上部にのみ配置されるので、フロート４１周りのスペースを小さくすることができる。さらに、ガイド部４４自体が小さいため、部品精度が高く、施工性が向上する。
【００５８】
本実施形態では、便器装置１００を、便器１０２と、便器１０２内に供給する洗浄水を貯水する洗浄タンク２と、洗浄タンク２内に配置され、洗浄タンク２に洗浄水を供給する給水装置１と、を含んで構成した。これにより、上記と同様の効果を有する給水装置１を含む便器装置１００を提供することができる。
【００５９】
以上、本発明の好ましい実施形態について説明したが、本発明は、上述の実施形態に制限されるものではなく、適宜変更が可能である。
例えば、上記実施形態では、本体部３０と、軸部４３と、アーム部４２のリンク部４２３とが平面視で一直線上に並んでいるが、アーム部４２の構成及びリンク部４２３の位置はこれに限られない。アーム部４２は、本体部３０と軸部４３とを結ぶ方向以外の方向（軸部４３よりも洗浄タンク２内の後壁２ｂ側や前壁２ａ側、あるいは上方や下方その他の方向）に本体部３０から離間した位置に配置されてもよい。
【００６０】
また、アーム部４２にリンク部４２３を設けてアーム部４２を屈曲させること自体によっても、本体部３０と軸部（及びフロート４１）との距離を長くすることと同じ作用が働くので、リンク部を必ずしも軸部より遠くに配置させなくてもよい。
【００６１】
また、ガイド部本体４４１は方形筒状で、軸部４３は断面視が略Ｈ字状に形成されているが、これに限られない。フロート４１を上下に昇降させることができれば、円筒状のガイド部本体内を円柱状の軸部が昇降してもよい。
【符号の説明】
【００６２】
１    給水装置
４１  フロート
４２  アーム部
４３  軸部
４４  ガイド部
３３１  パイロット孔（給水弁）
３３２  シール部（給水弁）
４４１  ガイド部本体
４４２  接続部
【図１】
2019190221.tif 000003
【図２】
2019190221.tif 000004
【図３】
2019190221.tif 000005
【図４】
2019190221.tif 000006
【図５Ａ】
2019190221.tif 000007
【図５Ｂ】
2019190221.tif 000008
【図６】
2019190221.tif 000009
【図７】
2019190221.tif 000010